(57)【特許請求の範囲】
【請求項１】
燃焼排ガスの凝縮により発生する酸性のドレン水の中和処理方法であって、
発生したドレン水を第１及び第２の２種類のタンクにそれぞれ貯留するようにし、
第１タンクには上記ドレン水をそのままで貯留する一方、第２タンクには上記ドレン水が逆のアルカリ性になるようにアルカリ変換処理した上で貯留し、
貯留後の排水時には、第１タンクからのドレン水と第２タンクからのアルカリ処理水とを合流させて混合することにより中和すると同時に、中和処理水をそのまま排水するようにする、
ことを特徴とするドレン水の中和処理方法。
【請求項２】
バーナの燃焼により発生する燃焼ガスから顕熱を回収する顕熱回収用熱交換器と、この顕熱回収用熱交換器を通過した後の燃焼排ガスから潜熱を回収する潜熱回収用熱交換器とを備えたコンデンシング給湯装置であって、
上記潜熱回収用熱交換器において発生するドレン水の供給を受けてそのまま貯留する第１タンクと、上記ドレン水の供給を受けてアルカリ変換処理によりアルカリ処理水にした上で貯留する第２タンクと、上記潜熱回収用熱交換器から導出したドレン水を上記第１タンクか第２タンクかに供給切換する流路切換手段と、上記第１タンクに貯留されたドレン水及び第２タンクに貯留されたアルカリ処理水を開閉可能に排水させる排水手段とを備え、
上記排水手段は、その開作動により上記第１タンク側と第２タンク側とを互いに連通させて第１タンクからのドレン水と第２タンクからのアルカリ処理水とを互いに合流させて混合させることにより両者を中和させると同時に下流側に排水させるように構成されている
ことを特徴とするコンデンシング給湯装置。
【請求項３】
請求項２に記載のコンデンシング給湯装置であって、
上記第１タンク及び第２タンク内の貯留水位をそれぞれ検出する水位検出手段と、この水位検出手段による水位検出に基づいて上記流路切換手段の流路切換を制御する制御手段とを備えている、コンデンシング給湯装置。
【請求項４】
請求項３に記載のコンデンシング給湯装置であって、
上記制御手段は、上記水位検出手段による水位検出及び／又は装置運転状態に基づいて上記排水手段を開作動させる制御を実行するように構成されている、コンデンシング給湯装置。
【請求項５】
バーナの燃焼により発生する燃焼ガスから顕熱を回収する顕熱回収用熱交換器と、この顕熱回収用熱交換器を通過した後の燃焼排ガスから潜熱を回収する潜熱回収用熱交換器とを備えたコンデンシング給湯装置であって、
上記潜熱回収用熱交換器において発生するドレン水の供給を受けてそのまま貯留する第１タンクと、上記ドレン水の供給を受けてアルカリ変換処理によりアルカリ処理水にした上で貯留する第２タンクと、上記潜熱回収用熱交換器から導出されたドレン水を上記第１タンクか第２タンクかのいずれか一方に導水する導水路と、上記第１タンクに貯留されたドレン水及び第２タンクに貯留されたアルカリ処理水を開閉可能に排水させる排水手段とを備え、
上記導水路には、上記一方のタンク内の貯留量が所定の貯留水位まで到達すれば、以後、その貯留水位を超えるドレン水を他方のタンクに対しオーバーフローにより導入する連通路が連通接続され、
上記排水手段は、その開作動により上記第１タンク側と第２タンク側とを互いに連通させて第１タンクからのドレン水と第２タンクからのアルカリ処理水とを互いに合流させて混合させることにより両者を中和させると同時に下流側に排水させるように構成されている
ことを特徴とするコンデンシング給湯装置。
【請求項６】
請求項２〜請求項５のいずれかに記載のコンデンシング給湯装置であって、
上記排水手段の下流側位置の流路には、排水手段において合流されたドレン水とアルカリ処理水とを混合撹拌する混合撹拌手段が介装されている、コンデンシング給湯装置。
【請求項７】
請求項２〜請求項６のいずれかに記載のコンデンシング給湯装置であって、
上記第２タンクは、ドレン水の流入口側位置に配設されてドレン水をアルカリ変換処理によりアルカリ処理水に変換するアルカリ処理槽を備え、このアルカリ処理槽は内部にアルカリ変換剤が充填されてアルカリ変換剤との接触によりドレン水を所定のアルカリ性を有するアルカリ処理水に変換するように構成されている、コンデンシング給湯装置。
【発明の詳細な説明】
【技術分野】
【０００１】
本発明は、燃焼排ガスの凝縮水であるドレン水の中和処理方法及びこれを実施するためのコンデンシング給湯装置に関し、特に所定量を貯留した上で排水する、又は、所定の排水タイミングが到来するまで貯留した上で排水するための技術に係る。
【背景技術】
【０００２】
一般に、コンデンシング給湯装置とは、いわゆる潜熱回収型給湯装置又は高効率型給湯装置とも言われ、燃焼熱の顕熱により入水を加熱して給湯させる際に、その入水を加熱した後の燃焼排ガスが有する潜熱をもさらに回収することにより、熱利用の高効率化を図るようにした給湯装置のことである。ここで、コンデンシングとは凝縮のことを意味し、燃焼排ガスに含まれる水蒸気を凝縮させることにより凝縮熱（潜熱）を得るようにして高効率化を図ることからコンデンシング給湯装置と名付けられている。
【０００３】
このようなコンデンシング給湯装置においては、顕熱回収用の熱交換器を通過した後の燃焼排ガスを潜熱回収用の熱交換器に導入して潜熱を回収する際に、その燃焼排ガスが潜熱回収用熱交換器と接触することにより燃焼排ガス中の水蒸気が結露して強酸性のドレン水（結露水）を生じることになる。このドレン水は、燃焼排ガスから取り込んだ窒素酸化物（ＮＯｘ）や硫黄酸化物（ＳＯｘ）等を含んで強酸性になっているため、外部に排水するには少なくとも中和処理を施す必要があり、通常は、ドレン水を集め、炭酸カルシウムなどの中和剤と接触させることで中和処理が行われている。
【０００４】
中和処理の方法として、エンジン駆動ヒートポンプのエンジンからの排ガスが外気で冷却されて生成されるドレン水を対象にして、この強酸性のドレンを中和処理した上で排水するために、中和処理槽に供給されたドレン水に対し中和液槽から中和液を供給して混合させることにより中和させるようにしたものが知られている（例えば特許文献１又は２参照）。このものでは、中和処理槽内のドレン水の水位又は水位の上昇に応じて、中和液供給用開閉弁とドレン水排出用開閉弁とを連動させたり、中和液供給装置の作動とドレン水排出用開閉弁の開動作とを同時間ずつ行わせたりすることにより、ドレン水の生成量にかかわりなくドレン水の中和が行われるようにすることが提案されている。
【０００５】
【特許文献１】特開昭６２−２９４４９２号公報
【特許文献２】特開昭６２−２９４４９３号公報
【発明の開示】
【発明が解決しようとする課題】
【０００６】
ところが、ドレン水を中和処理した上でドレンタンク等に排水するまでの間に貯留しておくと、中和処理前のドレン水であれば強酸性であるが故に微生物の繁殖・増殖は不能であるものの、中和処理後のドレン水では微生物の繁殖・増殖が可能な状況に陥るおそれがある、という不都合の発生が考えられる。かかる微生物の繁殖・増殖は、これを長期間放置して微生物の繁殖・増殖が進行した場合には、排水路にぬめり等のバイオフィルムの形成や悪臭の発生原因になりかねないことになる。
【０００７】
このような不都合の発生に対しては、コンデンシング給湯装置からのドレン水の排水経路として、風呂配管や風呂排水設備を利用する場合には、特に対策が必要になる。このため、中和処理後のドレン水をドレンタンク等に貯留した上で排水する場合には、微生物の繁殖・増殖を防止・抑制するために殺菌処理を施すようにすることも考えられるが、この場合には殺菌処理のための設備や殺菌剤等の追加が必要になり、コスト低減化やコンパクト化の要請に反することになる。
【０００８】
その一方、中和処理後のドレン水を例えば貯留せずにそのまま雑排水管又は排水桝に流すようにすることも考えられるが、このようにすると、コンデンシング給湯装置から延びるホース等の先端から燃焼運転の度に例えばちょろちょろと中和処理後のドレン水が出て行くことになる。この点につき、新築の集合住宅や戸建住宅あるいは既築の戸建住宅の現場にコンデンシング給湯装置を新規に設置する場合にはドレン水排水のための専用配管を容易に敷設し得るため何ら支障は生じないものの、特に既築の集合住宅の現場にコンデンシング給湯装置を後付けにて設置する場合には例えば集合住宅のパイプシャフト等にドレン水排水のための専用配管を敷設する工事は困難なものとなるため対策が必要となる。例えば、ちょろちょろと出るドレン水を集合住宅の廊下等に流すようにすると、燃焼運転のたびに廊下等が濡れて美観上好ましくないことにもなる。
【０００９】
このため、コンデンシング給湯装置におけるドレン水については、一時貯留した上で排水する方式での対策が要請され、その排水先も例えば浴槽や浴室の排水設備の利用が考えられている。但し、一時貯留した上で、排水時にそのドレン水を例えば炭酸カルシウム等の中和剤が充填された中和槽に通すことにより中和処理する方法を採用すると、中和槽内に微生物の繁殖・増殖が可能な状況が生じてしまうおそれがある、という不都合発生も考えられる。
【００１０】
本発明は、このような事情に鑑みてなされたものであり、その目的とするところは、ドレン水を一時貯留した上で排水する場合であっても、殺菌処理のための設備や殺菌剤等を必要とせずに、微生物の繁殖・増殖を確実に阻止した状態で中和処理及び排水をし得るようにしたドレン水の中和処理方法及びこの方法を実現するためのコンデンシング給湯装置を提供することにある。
【課題を解決するための手段】
【００１１】
上記目的を達成するために、ドレン水の中和処理方法に係る発明では、燃焼排ガスの凝縮により発生する酸性のドレン水の中和処理方法を対象にして、発生したドレン水を第１及び第２の２種類のタンクにそれぞれ貯留するようにし、第１タンクには上記ドレン水をそのままで貯留する一方、第２タンクには上記ドレン水が逆のアルカリ性になるようにアルカリ変換処理した上で貯留する。そして、貯留後の排水時には、第１タンクからのドレン水と第２タンクからのアルカリ処理水とを合流させて混合することにより中和すると同時に、中和処理水をそのまま排水することとした（請求項１）。
【００１２】
このドレン水の中和処理方法の場合、第１タンク内には酸性状態のままのドレン水が貯留され、第２タンク内にはアルカリ性のアルカリ処理水が貯留されることになるので、双方共に、貯留は静菌環境に維持されて微生物の繁殖・増殖を阻止し得ることになる。そして、排水時にドレン水とアルカリ処理水とを合流させて混合することにより中和処理し、この中和処理と同時に排水してしまうので、微生物の繁殖・増殖の機会が排除されることになる。これにより、一時貯留した上で排水させる場合であっても、殺菌処理のための設備や殺菌剤等を必要とせずに、微生物の繁殖・増殖を確実に阻止した状態で中和処理及び排水をし得ることになる。
【００１３】
このような中和処理方法を実施するためのコンデンシング給湯装置に係る発明では、バーナの燃焼により発生する燃焼ガスから顕熱を回収する顕熱回収用熱交換器と、この顕熱回収用熱交換器を通過した後の燃焼排ガスから潜熱を回収する潜熱回収用熱交換器とを備えたコンデンシング給湯装置を対象にして次の特定事項を備えることとした。すなわち、上記潜熱回収用熱交換器において発生するドレン水の供給を受けてそのまま貯留する第１タンクと、上記ドレン水の供給を受けてアルカリ変換処理によりアルカリ処理水にした上で貯留する第２タンクと、上記潜熱回収用熱交換器から導出したドレン水を上記第１タンクか第２タンクかに供給切換する流路切換手段と、上記第１タンクに貯留されたドレン水及び第２タンクに貯留されたアルカリ処理水を開閉可能に排水させる排水手段とを備えることとする。そして、上記排水手段として、その開作動により上記第１タンク側と第２タンク側とを互いに連通させて第１タンクからのドレン水と第２タンクからのアルカリ処理水とを互いに合流させて混合させることにより両者を中和させると同時に下流側に排水させる構成とした（請求項２）。
【００１４】
このコンデンシング給湯装置の場合、流路切換手段による流路切換により潜熱回収用熱交換器からのドレン水を第１タンクに供給したり、あるいは第２タンクに供給したりというように供給先を切換えて、双方のタンクに貯留させることが可能となる。この際に第２タンクでは供給されたドレン水がアルカリ変換処理されてアルカリ処理水の状態で貯留されることになる。そして、排水時には排水手段の開作動により第１タンク内のドレン水と、第２タンク内のアルカリ処理水とが互いに合流されて混合されることにより中和され、この中和処理と同時に下流側へ排水させることが可能となる。これにより、上記の中和処理方法に基づく作用、すなわち、一時貯留した上で排水させる場合であっても、殺菌処理のための設備や殺菌剤等を必要とせずに、微生物の繁殖・増殖を確実に阻止した状態で中和処理及び排水をし得ることになる、という作用をコンデンシング給湯装置において得ることが可能となる。
【００１５】
このコンデンシング給湯装置においては、上記第１タンク及び第２タンク内の貯留水位をそれぞれ検出する水位検出手段と、この水位検出手段による水位検出に基づいて上記流路切換手段の流路切換を制御する制御手段とをさらに備えるようにすることができる（請求項３）。このようにすることにより、第１タンクの貯留量と第２タンクの貯留量との比である貯留量比が所定範囲内に維持されるように流路切換手段の流路切換を制御することが可能となり、貯留量比が常に所定範囲内に維持されることで、排水タイミングが貯留段階のどの段階で到来したとしても、排水弁の開作動による中和処理と同時の排水を実行すれば、ドレン水とアルカリ処理水との混合比が上記貯留量比に対応したものに維持されて確実に中和処理を行い得ることになる。
【００１６】
さらに、上記制御手段として、上記水位検出手段による水位検出及び／又は装置運転状態に基づいて上記排水手段を開作動させる制御を実行する構成とすることができる（請求項４）。このようにすることにより、例えば両タンクが所定水位に到達したタイミングや、装置運転状態が排水に適したタイミングでの自動排水の実行が可能となる。
【００１７】
又、上記中和処理方法を実施するための他のコンデンシング給湯装置に係る発明では、バーナの燃焼により発生する燃焼ガスから顕熱を回収する顕熱回収用熱交換器と、この顕熱回収用熱交換器を通過した後の燃焼排ガスから潜熱を回収する潜熱回収用熱交換器とを備えたコンデンシング給湯装置を対象にして次の特定事項を備えることとした。すなわち、上記潜熱回収用熱交換器において発生するドレン水の供給を受けてそのまま貯留する第１タンクと、上記ドレン水の供給を受けてアルカリ変換処理によりアルカリ処理水にした上で貯留する第２タンクと、上記潜熱回収用熱交換器から導出されたドレン水を上記第１タンクか第２タンクかのいずれか一方に導水する導水路と、上記第１タンクに貯留されたドレン水及び第２タンクに貯留されたアルカリ処理水を開閉可能に排水させる排水手段とを備えることとする。そして、上記導水路には、上記一方のタンク内の貯留量が所定の貯留水位まで到達すれば、以後、その貯留水位を超えるドレン水を他方のタンクに対しオーバーフローにより導入する連通路を連通接続し、上記排水手段として、その開作動により上記第１タンク側と第２タンク側とを互いに連通させて第１タンクからのドレン水と第２タンクからのアルカリ処理水とを互いに合流させて混合させることにより両者を中和させると同時に下流側に排水させる構成とした（請求項５）。
【００１８】
このコンデンシング給湯装置の場合、導水路により第１タンク及び第２タンクのいずれか一方のタンクにドレン水が導水され、そのタンクが所定の貯留水位まで到達すれば、他方のタンクに対し連通路を通してオーバーフローによりドレン水が導水されることになる。このため、請求項２に係るコンデンシング給湯装置のように流路切換手段を必要とすることなく、簡易に双方のタンクに貯留させることが可能となる。その際に第２タンクでは導水されたドレン水がアルカリ変換処理されてアルカリ処理水の状態で貯留されることになる。そして、排水時には、請求項２に係るコンデンシング給湯装置と同様に、排水手段の開作動により第１タンク内のドレン水と、第２タンク内のアルカリ処理水とが互いに合流されて混合されることにより中和され、この中和処理と同時に下流側へ排水させることが可能となる。これにより、上記の中和処理方法に基づく作用、すなわち、一時貯留した上で排水させる場合であっても、殺菌処理のための設備や殺菌剤等を必要とせずに、微生物の繁殖・増殖を確実に阻止した状態で中和処理及び排水をし得ることになる、という作用をこのコンデンシング給湯装置においても得ることが可能となる。
【００１９】
以上の各コンデンシング給湯装置においては、上記排水手段の下流側位置の流路に、排水手段において合流されたドレン水とアルカリ処理水とを混合撹拌する混合撹拌手段を介装させることができる（請求項６）。このようにすることにより、ドレン水とアルカリ処理水との混合撹拌がより促進されて、中和処理がより確実に行われることになる。
【００２０】
又、以上の各コンデンシング給湯装置における第２タンクとして、ドレン水の流入口側位置に配設されてドレン水をアルカリ変換処理によりアルカリ処理水に変換するアルカリ処理槽を備えたものとし、このアルカリ処理槽として、内部にアルカリ変換剤が充填されてアルカリ変換剤との接触によりドレン水を所定のアルカリ性を有するアルカリ処理水に変換する構成とすることができる（請求項７）。このようにすることにより、ドレン水を確実にアルカリ処理水に変換させることが可能となり、第２タンクに対し所定のアルカリ処理水を確実に貯留させ得ることになる。
【発明の効果】
【００２１】
以上、説明したように、請求項１に係るドレン水の中和処理方法によれば、第１タンク内は酸性状態のままのドレン水により、第２タンク内はアルカリ性のアルカリ処理水により、双方共に静菌環境の貯留状態に維持することができ、これにより、微生物の繁殖・増殖を阻止することができるようになる。そして、排水時にドレン水とアルカリ処理水とを合流させて混合することにより中和処理した上で、この中和処理と同時に排水してしまうので、微生物の繁殖・増殖の機会を排除することができるようになる。以上により、一時貯留した上で排水させる場合であっても、殺菌処理のための設備や殺菌剤等を必要とせずに、微生物の繁殖・増殖を確実に阻止した状態で中和処理及び排水を行うことができるようになる。
【００２２】
請求項２〜請求項４及び請求項６，７のいずれかのコンデンシング給湯装置によれば、流路切換手段による流路切換により潜熱回収用熱交換器からのドレン水の供給先を切換えて、第１及び第２の双方のタンクに貯留させることができ、排水時には排水手段の開作動により第１タンク内のドレン水と、第２タンク内のアルカリ処理水とを互いに合流させて混合することにより中和させることができ、この中和処理と同時に下流側へ排水させることができるようになる。これにより、上記のドレン水の中和処理方法に基づく効果、すなわち、一時貯留した上で排水させる場合であっても、殺菌処理のための設備や殺菌剤等を必要とせずに、微生物の繁殖・増殖を確実に阻止した状態で中和処理及び排水を行うことができるようになる、という効果をコンデンシング給湯装置において得ることができることになる。
【００２３】
特に、請求項３によれば、第１タンクの貯留量と第２タンクの貯留量との比である貯留量比を所定範囲内に維持させるように流路切換手段の流路切換を制御することができるようになり、貯留量比を常に所定範囲内に維持することで、排水タイミングが貯留段階のどの段階で到来したとしても、排水弁の開作動による中和処理と同時の排水を実行すれば、ドレン水とアルカリ処理水との混合比を上記貯留量比に対応したものに維持して確実な中和処理を行うことができるようになる。
【００２４】
請求項４によれば、例えば両タンクが所定水位に到達したタイミングや、装置運転状態が排水に適したタイミングでの自動排水制御を実現させることができるようになる。
【００２５】
又、請求項５〜請求項７のいずれかのコンデンシング給湯装置によれば、導水路により第１タンク及び第２タンクのいずれか一方のタンクにドレン水を導水して、そのタンクが所定の貯留水位まで到達すれば、他方のタンクに対し連通路を通してオーバーフローによりドレン水を導水させることができ、請求項２のコンデンシング給湯装置のように流路切換手段を必要とすることなく、簡易に双方のタンクに貯留させることができるようになる。そして、排水時にも、請求項２のコンデンシング給湯装置と同様に、排水手段の開作動により第１タンク内のドレン水と、第２タンク内のアルカリ処理水とを互いに合流させて混合することにより中和させることができ、この中和処理と同時に下流側へ排水させることができるようになる。これにより、上記の中和処理方法に基づく効果、すなわち、一時貯留した上で排水させる場合であっても、殺菌処理のための設備や殺菌剤等を必要とせずに、微生物の繁殖・増殖を確実に阻止した状態で中和処理及び排水を行うことができるようになる、という効果をこのコンデンシング給湯装置においても得ることができるようになる。
【００２６】
特に請求項６によれば、混合撹拌手段によってドレン水とアルカリ処理水との混合撹拌をより促進することができ、中和処理をより確実に行うことができるようになる。
【００２７】
又、請求項７によれば、ドレン水を確実にアルカリ処理水に変換させることができ、第２タンクに対し所定のアルカリ処理水を確実に貯留させることができるようになる。
【発明を実施するための最良の形態】
【００２８】
以下、本発明の実施形態を図面に基づいて説明する。
【００２９】
＜第１実施形態＞
図１は、本発明の実施形態に係るコンデンシング給湯装置Ｅの要部を示し、１は潜熱回収用熱交換器としての二次熱交換器、２は浴槽、３は浴槽水の追い焚きを行うための追い焚き循環路、４は二次熱交換器１から導出した強酸性のドレン水をそのまま貯留する第１タンクとしてのドレン水タンク、５は二次熱交換器１から導出した強酸性のドレン水を所定のアルカリ性に変換処理した上で貯留する第２タンクとしてのアルカリ処理水タンク、６は二次熱交換器１から導出した強酸性のドレン水を第１タンク４か第２タンク５かのいずれか一方に供給切換する流路切換手段としての切換弁、７は第１タンク４側と第２タンク５側との双方を下流側に対し同時に開閉切換えさせて第１タンク内の酸性のドレン水と第２タンク内のアルカリ性の処理水とを互いに合流させて下流に排水させる排水弁である。
【００３０】
本実施形態では、上記排水弁７によってドレン水タンク４内の強酸性のドレン水と、アルカリ処理水タンク５内のアルカリ処理水とを合流させて混合することにより中和処理した後に、引き続いて、その中和処理済みドレン水を追い焚き循環路３に流入させることにより、追い焚き循環用の機外の外部配管３０を通して浴槽２内に排出するようにしたものを示している。浴槽２内に排出された中和処理済みドレン水は、排水口２０から浴槽パン２１を経由して一般排水設備２２に排水されることになる。なお、コンデンシング給湯装置Ｅの機内に装備された上記追い焚き循環路３と、接続部３００ａ，３００ｂにおいて追い焚き循環路３と接続されて機外に設置された外部配管３０とによって、コンデンシング給湯装置Ｅと浴槽２との間で浴槽水を追い焚きのために循環させる追い焚き循環回路が構成されている。
【００３１】
上記二次熱交換器１は、熱交換器ケース１１と、この熱交換器ケース１１内に配設された多管式等の熱交換器本体１２とを備えたものである。この二次熱交換器１に対し、燃焼排ガス通路１０を通して供給された燃焼排ガスが熱交換器ケース１１の一側位置（同図の左側位置）の流入口１１１から内部に流入し、他側位置（同図の右側位置）の流出口１１２に向けて流れた後に流出口１１２から機外に排出されるようになっている。そして、燃焼排ガスが上流側である流入口１１１側から下流側である流出口１１２側まで流れる間に、内部に冷たい入水が通される熱交換器本体１２の外壁と接触して燃焼排ガスに含まれる水蒸気が凝縮して結露し、その結露した水滴（ドレン水）Ｄが熱交換器ケース１１の底板１１３内面により構成されるドレンパン（ドレン受け部）１１ａの上面に沿って集水され、集水されたドレン水が導出管１３を通して上記切換弁６に流下するようになっている。
【００３２】
なお、図例のドレンパン１１ａは上流側の流入口１１１側から下流側の流出口１１２側に向けて下り勾配となる傾斜面として形成され、この傾斜面の最下位の位置となる流出口１１２近傍の底板１１３に対し導出管１３の上流端が開口するように接続されている。これにより、ドレンパン１１ａに熱交換器本体１２の外表面から落下等したドレン水が傾斜面に沿ってドレン水導出管１３の上流開口端１３１に重力作用によって導かれて集水されるようになっている。逆に、ドレンパンを流出口１１２側から流入口１１１側に向けて下り勾配となる傾斜面に形成し、流入口１１１側近傍に導出管１３の上流端を開口させるようにしてもよい。
【００３３】
ドレン水タンク４は、二次熱交換器１で生成された強酸性のドレン水をそのまま貯留することにより、貯留期間における微生物の繁殖・増殖を不能な環境に維持するようにしたものである。すなわち、ドレン水タンク４に導入されたドレン水は強酸性（例えばｐＨ３程度）であるため、大半の微生物の繁殖には適さない上に、貯留期間の長短に拘わらず内部のドレン水は強酸性のままに維持されるため微生物の増殖自体が不能な状態に維持されることになる。
【００３４】
このドレン水タンク４には、内部のドレン水の水位検出手段として水位検知用の複数本（図例では４本）の水位電極４１，４２，４３，４４が配設されている。これら４本の水位電極４１，４２，４３，４４は、ほぼ空の状態に相当する低水位を検出するための低水位電極４１と、ドレン水タンク４及びアルカリ処理水タンク５の双方の貯留量が所定範囲内の貯留量比を維持するように制御するために互いに異なる水位を検出するよう配置した水位電極４２，４３，４４とで構成される。貯留量比の制御用としては図例のものでは、第１中水位電極４２、第２中水位電極４３及び高水位電極４４の３種類のもので構成している。そして、第１中水位電極４２はドレン水タンク４の満水量の例えば５０％に相当する水位（中水位１）を検知する位置に設定され、高水位電極４４は満水量近傍に相当する高水位を検知する位置に設定され、第２中水位電極４３は中水位１と高水位の両者の中間水位（中水位２）に相当する位置に設定されている。これは、中水位１に到達するまでは後述の排水タイミングが到来しても排水せずに貯留の継続を優先し、中水位１に到達した後は、上記の貯留量比範囲を維持するための制御を優先して排水タイミングが到来すればいつでも排水可能とする、という方針の下で各水位電極４２，４３，４４の位置を設定したものである。従って、さらに水位電極の数を増やして中水位１と高水位との間をより細分した各水位の検出を行って、貯留量比の制御の精度を高めるようにしてもよい。貯留量比の制御については後に詳細に説明する。
【００３５】
アルカリ処理水タンク５は、その流入口側にアルカリ処理槽５０を備え、二次熱交換器１からのドレン水がアルカリ処理槽５０を通過することにより所定の強アルカリ性（例えばｐＨ１０程度）のアルカリ処理水に変換された状態でアルカリ処理水タンク５に流入して貯留されるようになっている。すなわち、上記アルカリ処理槽５０は、内部にアルカリ変換剤(例えば酸化マグネシウム)が充填され、二次熱交換器１から導出されたドレン水が一端から他端に向けてアルカリ変換剤充填層内を流動する間にアルカリ変換剤と接触して、上記の如き所定ｐＨのアルカリ性を有するアルカリ処理水に変換され、これがアルカリ処理水タンク５内に流入するようになっている。これによって、ドレン水タンク４内と同様に、貯留期間における微生物の繁殖・増殖を不能とする環境に維持するようにしている。すなわち、アルカリ処理水タンク５に導入されたアルカリ処理水は上記の如く強アルカリ性を有するように変換されているため、大半の微生物の繁殖には適さない上に、貯留期間の長短に拘わらず内部のアルカリ処理水は強アルカリ性のままに維持されるため微生物の増殖自体が不能な状態に維持されることになる。つまり、ドレン水タンク４内も、アルカリ処理水タンク５内も、共に静菌環境を形成して維持するようにしているのである。
【００３６】
又、アルカリ処理水タンク５は、内部の水平断面積がドレン水タンク４のそれと同じに設定され、同じ水位であれば同じ貯留量になるように形成されている。そして、このアルカリ処理水タンク５内には、ドレン水タンク４における水位電極４１，４２，４３，４４とそれぞれ同じ水位（貯留量）を検出するための水位電極５１，５２，５３，５４が配設されている。すなわち、低水位電極５１と、第１中水位電極５２と、第２中水位電極５３と、高水位電極５４との４種類が水位検出手段として配設されている。
【００３７】
切換弁６は、例えば三方切換弁により構成され、ドレン水タンク４側に切換えると導出管１３により導出されたドレン水を分岐管１４を通してドレン水タンク４に供給し、逆にアルカリ処理水タンク５側に切換えると導出管１３により導出されたドレン水を分岐管１５を通してアルカリ処理水タンク５のアルカリ処理槽５０に供給するようになっている。
【００３８】
又、排水弁７は、閉作動状態でドレン水タンク４及びアルカリ処理水タンク５からの下流への排水を共に遮断する一方、開作動状態でドレン水タンク４及びアルカリ処理水タンク５の双方を共に下流側と連通させるようになっている。すなわち、排水弁７を開作動させることにより、導出管１６から導出されたドレン水タンク４のドレン水と、導出管１７から導出されたアルカリ処理水タンク５のアルカリ処理水とを排水弁７において互いに合流させて混合状態にした上で下流側の合流導出管１８を通して排水させるようになっている。詳細には、排水弁７は、その開作動によって、ドレン水タンク４の下流側（導出管１６側）と、アルカリ処理水タンク５の下流側（導出管１７側）とが互いに同じ開口量で連通されると同時に、これらと、これらの下流側である合流導出管１８の側とが連通されるようになっている。これにより、開作動状態の排水弁７では、ドレン水タンク４のドレン水と、アルカリ処理水タンク５のアルカリ処理水とが後述の如き所定の貯留量比と同じ混合比にて互いに合流・混合されて中和処理が行われ、この中和処理と同時に中和処理済みのドレン水が下流側に排水されることになる。つまり、中和処理と中和処理後の排水とがタイムラグを生じることなく連続して行われるようにして、微生物の繁殖のための時間的余裕が生じないようにしている。
【００３９】
以上のドレン水タンク４、アルカリ処理水タンク５、切換弁６、排水弁７や水位電極４１〜４４，５１〜５４は、耐酸性又は耐アルカリ性を有する材質のもので形成されていることが望ましく、ドレン水タンク４やアルカリ処理水タンク５の材質としては例えばポリプロピレンを、水位電極４１〜４４，５１〜５４の材質としてはステンレス又はカーボンを用いればよい。
【００４０】
上記の排水弁７で合流させて混合する際に、さらに混合撹拌手段８を設けてドレン水とアルカリ処理水との混合を積極的に行うようにしてもよい。混合撹拌手段８としては例えばラインミキサーを用い、この混合撹拌手段８を例えば排水弁７の合流導出管１８側位置に、あるいは、合流導出管１８の途中位置に介装させるようにすればよい。これにより、ドレン水とアルカリ処理水との混合撹拌を、排水弁７での合流に伴う乱流発生による混合促進だけの場合よりも、さらに促進させることができ、ドレン水とアルカリ処理水との混合による中和処理をより確実に図ることができるようになる。
【００４１】
そして、上記合流導出管１８の下流端は三方切換弁１９を介して追い焚き循環路３（図例では往き路３ｂ）に接続されており、三方切換弁１９や上記の排水弁７が所定の排水タイミングに後述のコントローラにより互いに同期して開作動されて中和処理済みのドレン水を追い焚き循環路３に導出し、この追い焚き循環路３及び外部配管３０を通して浴槽２内に排出し排水口２０から排水するようになっている。ここで、上記三方切換弁１９は常時は閉状態とされて合流導出管１８の側が往き路３ｂと遮断され、開作動されることにより合流導出管１８の側が往き路３ｂと連通されることになる。なお、浴槽２への排出は、コンデンシング給湯装置Ｅが１階に設置され浴槽が同じく１階に設置されている場合であるとドレン水タンク４及びアルカリ処理水タンク５と浴槽２との高低位置関係に基づき重力作用に基づく落とし込みにより行うようにしてもよく、又、コンデンシング給湯装置Ｅが１階に設置され浴槽２が２階に設置されている場合であると例えば上記合流導出管１８に介装した図示省略のポンプを作動させることにより行うようにすればよい。
【００４２】
ここで、上記三方切換弁１９は、常時は合流導出管１８側が閉状態にされて追い焚き循環路３（往き路３ｂ）を連通状態に維持されている。又、上記の合流導出管１８の下流端を接続する対象は、追い焚き循環路３を構成する戻り路３ａ・往き路３ｂのいずれか一方又は双方でよく、この追い焚き循環路３を構成する戻り路３ａ・往き路３ｂのいずれか又は双方が浴槽２に連通接続されることになる風呂配管を構成する。
【００４３】
図１の如き二次熱交換器１、ドレン水タンク４及びアルカリ処理水タンク５を適用した具体的なコンデンシング給湯装置の例について図２に基づいて簡単に説明する。
【００４４】
図２に例示するコンデンシング給湯装置は、給湯機能に加えて、温水循環式暖房機能、風呂追い焚き機能、風呂湯張り機能の各機能を併有する複合熱源機型に構成されたものであり、燃焼加熱部において顕熱に加え燃焼排ガスから潜熱をも回収することにより高効率化を図る潜熱回収型のものである。なお、本発明を実施する上では、少なくとも燃焼加熱部に対し潜熱回収用の二次熱交換器１を併設したものであれば適用することができ、又、風呂追い焚き機能を有して追い焚き循環路３が設置されたものであれば風呂配管や浴槽２等の風呂設備を用いたドレン水の排出が容易に可能となってより好ましいものである。
【００４５】
同図において、符号２１は給湯機能を実現するための給湯回路、２２は温水循環式暖房機能を実現するための暖房回路、２３は風呂側循環回路として風呂追い焚き機能を実現するための追い焚き回路、２４は風呂湯張り機能を実現するための注湯回路であり、又、符号２５は潜熱回収用の二次熱交換器１で発生するドレン水の中和処理を行うドレン水処理回路、２６はこれらの各回路の作動制御等を行う制御手段としてのコントローラである。なお、この給湯装置における風呂追い焚きは、暖房回路２２の高温水を熱源として、追い焚き回路２３の浴槽水をバスヒータ４１で液−液熱交換加熱することにより昇温させて追い焚き加熱を行うタイプのものであるが、これに限らず、追い焚き加熱のための燃焼加熱部(燃焼バーナ及びこの燃焼バーナの燃焼熱により熱交換加熱される熱交換器)を備えたもので追い焚きを行う構成にしてもよい。
【００４６】
上記給湯回路２１は、給湯用燃焼バーナ３１と、この燃焼バーナ３１の燃焼熱により入水を熱交換加熱する給湯用の一次熱交換器３２とを燃焼加熱部として備え、入水路３３から水道水等が上記給湯用一次熱交換器３２において主として加熱され、加熱された後の湯が出湯路３４に出湯されるようになっている。この際、上記入水路３３からの入水は、一次熱交換器３２に入水される前に、上記二次熱交換器１を構成する給湯用熱交換部１ａに通されるようになっており、この熱交換部１ａにおいて燃焼排ガスからの潜熱回収により予熱された状態で一次熱交換器３２に入水されて主加熱されるようになっている。そして、所定温度まで加熱されて上記出湯路３４に出湯された湯が、台所や浴室等の給湯栓３５や上記注湯回路２４などの所定の給湯箇所に給湯されるようになっている。なお、図例では給湯栓３５として１つのみ図示しているが、通常は台所、洗面台、浴室等にそれぞれ配設されて複数ある。上記の一次熱交換器３２や後述の暖房用の一次熱交換器３７が顕熱回収用熱交換器を構成し、上記給湯用熱交換部１ａや後述の暖房用熱交換部１ｂで構成される二次熱交換器１が潜熱回収用熱交換器を構成する。
【００４７】
上記暖房回路２２は、暖房用燃焼バーナ３６と、この燃焼バーナ３６の燃焼熱により循環温水を熱交換加熱する暖房用一次熱交換器３７とを燃焼加熱部として備え、この暖房用一次熱交換器３７に暖房用温水循環路３８が通されている。
【００４８】
上記温水循環路３８は、膨張タンク３９に戻されて貯留される低温水を暖房用循環ポンプ４０の作動により上記暖房用一次熱交換器３７の入口に送り、ここで燃焼バーナ３６により加熱された高温水を高温往き路３８ａから液−液熱交換器であるバスヒータ４１に熱源として供給したり、高温往きヘッダー４２を介して例えば浴室乾燥機等の高温用暖房端末４３に供給したりされるようになっている。又、上記の循環ポンプ４０の作動により、膨張タンク３９内の低温水を低温往きヘッダー４４を介して例えば床暖房機等の低温用暖房端末４５に供給し、全ての暖房端末４３，４５から放熱により低温になった低温水を戻りヘッダー４６を介して潜熱回収用の二次熱交換器１の暖房用熱交換部１ｂに通した上で膨張タンク３９に戻すというように、循環させるようになっている。上記の二次熱交換器１の暖房用熱交換部１ｂにおいては、暖房用燃焼バーナ３６の燃焼排ガスからの潜熱回収により低温水が予熱され、予熱された低温水が膨張タンク３９に戻されるようになっている。
【００４９】
追い焚き回路２３は、液−液熱交換式の加熱部としてのバスヒータ４１が、戻り路３ａ及び往き路３ｂからなる追い焚き循環路３に介装され、追い焚き用循環ポンプ４７の作動により浴槽２から戻り管３０ａ及び戻り路３ａを通して取り出された浴槽水がバスヒータ４１に送られ、このバスヒータ４１において暖房回路２２側の高温水を熱源とする液−液熱交換により追い焚き加熱され、追い焚き加熱後の浴槽湯水が往き路３ｂ及び往き管３０ｂを通して浴槽２に送られるようになっている。
【００５０】
注湯回路２４は、給湯回路２１から上流端が分岐して下流端が追い焚き循環路３に合流された注湯路４８と、開閉切換により注湯の実行と遮断とを切換える注湯電磁弁４９とを備えている。この注湯電磁弁４９がコントローラ２６により開閉制御され、注湯の実行により、出湯路３４の湯が注湯路４８，追い焚き循環路３（戻り路３ａ）を経て浴槽２に注湯されて所定量の湯張りが行われるようになっている。
【００５１】
ドレン水処理回路２５は、二次熱交換器１（給湯用熱交換部１ａ及び暖房用熱交換部１ｂ）において燃焼排ガスが潜熱回収のための熱交換により冷やされて凝縮することにより生じたドレン水の貯留や中和処理を行うために設置された回路である。すなわち、ドレン水処理回路２５は、二次熱交換器１の下側位置に配設されたドレンパン１１ａ（図１参照）により集水・回収されたドレン水を、導出管１３を通して切換弁６に供給し、切換弁６の後述の切換制御によりドレン水タンク４にそのまま貯留したり、アルカリ処理水タンク５にアルカリ処理した上で貯留したりして所定の排水タイミングが到来するまで一時貯留するようになっている。加えて、所定の排水タイミングの到来により排水弁７や三方切換弁１９等の開作動制御により中和処理と排水とを同時に行って、中和処理済みのドレン水を追い焚き循環路３（図２では戻り路３ａを例示）に流入させることにより浴槽２内に流し込み排水口２０から排水させるようになっている。
【００５２】
上記の排水タイミングとしては、浴槽２が使用されていないタイミング、つまり入浴のための湯張りが行われていないタイミングを設定すればよい。コンデンシング給湯装置Ｅの給湯能力等の規模や使用環境に応じて例えば１日間に発生するドレン水の量を想定し、このドレン水量とドレン水タンク４及びアルカリ処理水タンク５の双方の貯留量との兼ね合いで、排水タイミング及び１日当たりの排水回数を設定するようにすればよい。この排水タイミングとして、例えば１日３回の排水タイミングを設定した場合には、浴槽２の自動洗浄の実行時や、自動湯張りや自動保温に係る制御が行われていないタイミングを選択して設定すればよい。あるいは、時刻によるタイミングの設定を加えるには、午前１０時や午後４時あるいは午前２時というような入浴が通常は行われないであろう時間帯を選択して設定すればよい。これらのタイミング設定に加えて、ドレン水タンク４及びアルカリ処理水タンク５の各貯留量が共に満杯状態に至ったタイミングを排水タイミングとして設定するようになっている。
【００５３】
次に、コントローラ２６による切換弁６の切換制御について図３及び図４を参照しつつ説明する。
【００５４】
前回の排水によりドレン水タンク４及びアルカリ処理水タンク５が共に空になった状態から新たな貯留を開始するために、まず、排水弁７を閉作動してその閉状態に維持する一方、図５(ａ)に実線の矢印で示すように、切換弁６をドレン水タンク４側に開切換（導出管１３と分岐管１４とを連通切換）して、二次熱交換器１からのドレン水をドレン水タンク４に供給して貯留する（ステップＳ１）。これを、ドレン水タンク４内の貯留水位が中水位１に到達するまで、つまり、第１中水位電極４２が中水位１を検知するまで継続させる（ステップＳ２でＮＯ）。
【００５５】
ドレン水タンク４の第１中水位電極４２が中水位１を検知すると（ステップＳ２でＹＥＳ）、図５(ａ)に一点鎖線の矢印で示すように、切換弁６をアルカリ処理水タンク５側に開切換（導出管１３と分岐管１５とを連通切換）して、二次熱交換器１からのドレン水をアルカリ処理水タンク５に供給して貯留する（ステップＳ３）。これを、アルカリ処理水タンク５内の貯留水位が中水位１に到達するまで、つまり、第１中水位電極５２が中水位１を検知するまで継続させる（ステップＳ４でＮＯ）。
【００５６】
アルカリ処理水タンク５の第１中水位電極５２が中水位１を検知すると（ステップＳ４でＹＥＳ）、図５（ｂ）に実線の矢印で示すように、切換弁６をドレン水タンク４側に開切換して、二次熱交換器１からのドレン水をドレン水タンク４に供給してさらに貯留する（ステップＳ５）。これを、ドレン水タンク４内の貯留水位が中水位２に到達するまで、つまり、第２中水位電極４３が中水位２を検知するまで継続させる（ステップＳ６でＮＯ）。ドレン水タンク４に対する中水位１までのドレン水の貯留と、アルカリ処理水タンク５に対する中水位１までのアルカリ処理水の貯留との双方が完了すれば（ステップＳ４でＹＥＳ）、以後はドレン水タンク４内のドレン水とアルカリ処理水タンク５内のアルカリ処理水との貯留量比を所定範囲内に制御するための切換制御（ステップＳ５以降）に入る。
【００５７】
ドレン水タンク４の第２中水位電極４３が中水位２を検知すると（ステップＳ６でＹＥＳ）、図６(ａ)に実線の矢印で示すように、切換弁６をアルカリ処理水タンク５側に開切換して、二次熱交換器１からのドレン水をアルカリ処理水タンク５に供給して貯留する（ステップＳ７）。これを、アルカリ処理水タンク５内の貯留水位が中水位２に到達するまで、つまり、第２中水位電極５３が中水位２を検知するまで継続させる（ステップＳ８でＮＯ）。
【００５８】
アルカリ処理水タンク５の第２中水位電極５３が中水位２を検知すると（ステップＳ８でＹＥＳ）、図６（ａ）に一点鎖線の矢印で示すように、切換弁６をドレン水タンク４側に開切換して、二次熱交換器１からのドレン水をドレン水タンク４に供給してさらに貯留する（ステップＳ９）。これを、ドレン水タンク４内の貯留水位が高水位に到達するまで、つまり、高水位電極４４が高水位を検知するまで継続させる（ステップＳ１０でＮＯ）。
【００５９】
ドレン水タンク４の高水位電極４４が高水位を検知すると（ステップＳ１０でＹＥＳ）、図６(ｂ)に実線の矢印で示すように、切換弁６をアルカリ処理水タンク５側に開切換して、二次熱交換器１からのドレン水をアルカリ処理水タンク５に供給して貯留する（ステップＳ１１）。これを、アルカリ処理水タンク５内の貯留水位が高水位に到達するまで、つまり、高水位電極５４が高水位を検知するまで継続させる（ステップＳ１２でＮＯ）。
【００６０】
そして、図６（ｂ）に点線で示すように、アルカリ処理水タンク５の高水位電極５４が高水位を検知すると（ステップＳ１２でＹＥＳ）、ドレン水タンク４内のドレン水及びアルカリ処理水タンク５内のアルカリ処理水が共に高水位の満杯状態に至ったため、排水弁７を開作動させてドレン水タンク４及びアルカリ処理水タンク５の双方から同時に排水させる（ステップＳ１３）。この満杯状態の排水タイミングの場合には、両タンク４，５が共に同じ貯留量であるため、排水弁７の開作動によりドレン水とアルカリ処理水とは５０：５０の貯留量比と同じ５０：５０の混合比での中和処理が行われることになる。
【００６１】
排水により各タンク４，５の水位がほぼ空の状態である低水位まで低下すれば、排水弁７を閉作動させる。この閉作動は、両タンク４，５のいずれかの低水位電極４１，５１が低水位を検知しなくなれば実行させる（ステップＳ１４でＹＥＳ；図４ではアルカリ処理水タンク側の低水位電極を例示）。そして、再び、ステップＳ１に戻って貯留を続ける。
【００６２】
以上のステップＳ５以降の切換制御においては、ドレン水タンク４のドレン水の貯留量と、アルカリ処理水タンク５のアルカリ処理水の貯留量との貯留量比が例えば５６：４４〜３１：６９の範囲、つまりドレン水：アルカリ処理水が｛５６〜３１％｝：｛４４〜６９％｝の範囲になるように貯留の切換制御が行われる。この貯留量比は、アルカリ変換剤として酸化マグネシウムを用いてアルカリ処理後のアルカリ処理水がｐＨ１０程度となり、ｐＨ３程度のドレン水に混合することにより中和処理済みのドレン水がｐＨ５．８〜８．６程度の中性になるようにする場合を想定したものである。従って、アルカリ変換剤として酸化マグネシウム以外のものを用いた場合にはそれに応じて貯留量比も変動することになる。
【００６３】
上記の切換弁６の切換制御においては、ドレン水タンク４及びアルカリ処理水タンク５が共に中水位１までの貯留が完了した後の以下の貯留期間の全てにおいて、各貯留期間の貯留量比の変動が上記の貯留量比範囲内となるようにされている。すなわち、ドレン水タンク４が中水位１から中水位２まで変動する一方、その間は、アルカリ処理水タンク５は中水位１を維持することになるという貯留期間(ステップＳ５〜ステップＳ６でＹＥＳまで，図５(ｂ)参照）、ドレン水タンク４が中水位２を維持する一方、アルカリ処理水タンク５が中水位１から中水位２まで変動することになる貯留期間(ステップＳ７〜ステップＳ８でＹＥＳまで，図６（ａ）参照)、ドレン水タンク４が中水位２から高水位まで変動する一方、アルカリ処理水タンク５が中水位２を維持することになる貯留期間(ステップＳ９〜ステップＳ１０でＹＥＳまで，図６（ｂ）参照)、及び、ドレン水タンク４が高水位を維持する一方、アルカリ処理水タンク５が中水位２から高水位まで変動する貯留期間(ステップＳ１１〜ステップＳ１２でＹＥＳまで，図６（ｂ）の点線参照)のそれぞれで上記の如く貯留量比の変動が上記の貯留量比範囲内となるようにされている。
【００６４】
そして、上記のステップＳ５以降の切換制御期間においては、図示を省略しているが、上記の如く貯留量比が所定範囲内に制御されているため、コントローラ２６に設定された所定の排水タイミングが到来すれば、その時点でステップＳ１３にジャンプして中和処理と同時の排水を実行するようにしている。この場合にも、所定の中性状態にした上で排水させることができる。
【００６５】
以上の実施形態によれば、ドレン水の貯留期間においてはその全ての期間に亘りドレン水タンク４及びアルカリ処理水タンク５内を静菌環境に維持することができ、これにより、中和処理済みのドレン水の貯留に起因する微生物繁殖等のおそれを回避して、微生物が繁殖・増殖する事態の発生を確実に阻止することができる。従って、貯留期間の長短の如何に拘わらず、殺菌槽等の殺菌のための設備を設置する必要を省略することができる。しかも、排水時に同時に中和処理を確実に行うことができるようになる。又、主要構成物であるドレン水タンク４及びアルカリ処理水タンク５が共に二次熱交換器１で生成されるドレン水を貯留するものであるため、従来の中和処理槽と貯留タンクとを備えて中和処理をバッチ処理により行う中和処理装置に比して、同等の貯留量を得る上で大幅なコンパクト化を図ることができることになる。
【００６６】
なお、以上の実施形態では、ドレン水タンク４とアルカリ処理水タンク５との貯留量比を所定範囲に制御するために水位電極４１〜４４，５１〜５４を設けているが、これら以外の水位検出手段を用いてもよく、さらには水位検出手段を省略してコントローラ２６での演算処理により代用するようにしてもよい。例えば、コントローラ２６において、コンデンシング給湯装置の燃焼運転における燃焼量や燃焼継続時間等に基づいて二次熱交換器１で発生するドレン水量を演算により推測し、この演算値に基づいて切換弁６の切換制御を行うことによりドレン水タンク４とアルカリ処理水タンク５との貯留量比を所定範囲に制御するようにしてもよい。
【００６７】
＜第２実施形態＞
図７は、本発明の第２実施形態に係るコンデンシング給湯装置の要部を示し、符号４ａはドレン水タンク、５ａはアルカリ処理水タンクである。この第２実施形態は、第１実施形態における切換弁６の切換制御や排水弁７の開閉作動制御を不要にして簡略化したものである。なお、第１実施形態と同じ構成要素には第１実施形態と同じ符号を付して重複した詳細説明を省略する。
【００６８】
ドレン水タンク４ａは、第１実施形態のドレン水タンク４と異なり水位検出手段を備えない単なる耐酸性のタンクとして構成され、水位検出手段の代わりに内部の水位と連動して排水弁７を開閉作動させる水位連動機構４５が設けられている。この水位連動機構４５としては例えば一対のフロートスイッチ又はフロート作動機構を用いればよい。図例のものは、所定の高水位になるとＯＮされて排水弁７を開作動させる高水位フロートスイッチ４５ａと、空の状態に相当する所定の低水位になるとＯＦＦ作動して排水弁７を閉状態に戻す低水位フロートスイッチ４５ｂとの組み合わせで水位連動機構４５を構成したものを示している。なお、上記のＯＮ・ＯＦＦによって、排水弁７と共に追い焚き循環路３側の三方切換弁１９も同時に開閉作動されるようになっている。
【００６９】
アルカリ処理水タンク５ａは、本来の貯留部分であるタンク本体５５と、仕切壁５６により仕切られて上下方向に延びる導水路５７と、導水路５７の底部に開口するタンク本体５５の流入口に一端が連通されたアルカリ処理槽５０ａとを備えている。導水路５７の頂部には二次熱交換器１からのドレン水を導出する導出管１３の下流端が連通接続され、導水路５７に導入されたドレン水が底部からアルカリ処理槽５０ａの一端に流入するようになっている。そして、アルカリ処理槽５０ａの一端に流入したドレン水が他端まで通過する間に、内部に充填されたアルカリ変換剤充填層と接触して第１実施形態と同様のアルカリ処理水に変換され、変換されたアルカリ処理水がタンク本体５５内に貯留されるようになっている。上記導水路５７は、所定の上下方向位置（図７に符号Ｈで示す水位参照）で連通路５８によりドレン水タンク４ａ内と連通接続され、アルカリ処理水タンク５ａ内の貯留水位が水位Ｈまで上昇して連通路５８の上下方向位置に到達すれば、以後は、導出管１３から導入されるドレン水が連通路５８を通してドレン水タンク４ａ内に流れ込むようになっている。ドレン水タンク４ａ内の貯留水位が水位Ｈまで到達すれば、ドレン水タンク４ａ内のドレン水の貯留量と、アルカリ処理水タンク５ａ内のアルカリ処理水の貯留量とが互いに同じになるように、それぞれの内容積が設定されている。
【００７０】
以上により、第２実施形態の場合、二次熱交換器１から導出管１３を通して導出されたドレン水は導水路５７に入り、まず、この導水路５７によりアルカリ処理水タンク５ａに導水されてアルカリ処理槽５０ａによりアルカリ処理水に変換されつつ貯留され、アルカリ処理水の貯留量が所定の水位Ｈまで到達すると、次に、導水路５７からオーバーフローするドレン水が連通路５８を通してドレン水タンク４ａ内に導入されて未処理のままで貯留されることになる。そして、ドレン水タンク４ａ内のドレン水の貯留量も上記水位Ｈまで到達すると、高水位フロートスイッチ４５ａがＯＮされて排水弁７が開作動されることになる。これにより、ドレン水タンク４ａ内のドレン水と、アルカリ処理水タンク５ａ内のアルカリ処理水とが互いに合流・混合されて中和され、そのまま開状態の三方切換弁１９及び追い焚き循環路３を通して浴槽２に排出され、排水口２０から排水されることになる。ドレン水タンク４ａ及びアルカリ処理水タンク５ａが空になると低水位フロートスイッチ４５ｂがＯＦＦ作動して排水弁７や三方切換弁１９が閉状態に戻される。これにより、再度、アルカリ処理水タンク５ａ及びドレン水タンク４ａに対する貯留が開始されるようになる。なお、上記三方切換弁１９は閉状態で合流導出管１８の側が往き路３ｂと遮断され、開状態で合流導出管１８の側が往き路３ｂと連通されることになる。
【００７１】
この第２実施形態によれば、排水タイミングは両タンク４ａ，５ａが所定水位Ｈに到達した時点ということになるものの、水位検知に基づく切換制御等の制御部分を搭載することなく、簡易な構成によって第１実施形態による作用効果と同様の作用効果を得ることができるようになる。
【００７２】
なお、この第２実施形態では、二次熱交換器１から導出したドレン水を、まずはアルカリ処理水タンク５ａに導入してアルカリ変換した上で貯留し、水位Ｈまで貯留された後に水位Ｈからオーバーフローするドレン水をそのままドレン水タンク４ａに導入して貯留するように構成した形態を示したが、これに限らず、貯留順序が逆になるように構成してもよい。例えば、二次熱交換器１から導出したドレン水を、まずはドレン水タンクに導入してそのまま貯留し、水位Ｈまで貯留された後に水位Ｈより上からオーバーフローするドレン水がアルカリ処理水タンクに対し連通路を通して導入されるようにし、この導入されたドレン水をアルカリ変換した上で貯留する構成としてもよい。この場合でも第２実施形態と同様の作用効果を得ることができる。
【００７３】
＜他の実施形態＞
なお、本発明は上記第１又は第２実施形態に限定されるものではなく、その他種々の実施形態を包含するものである。すなわち、上記各実施形態では、ドレンパン１１ａを底板１１３の底面により構成し、その底板１１３の底面を傾斜面としているが、これに限らず、ドレンパンを底板とは別に二次熱交換器１のケース内に配設する場合には、底板を傾斜させる必要はなく、この底板の底面側に配設するドレンパンの上面を傾斜面により構成すればよい。
【００７４】
上記各実施形態では、中和処理済みのドレン水を追い焚き循環路３に流入させて、追い焚き循環用の機外の外部配管３０を通して浴槽２内に排出することにより、排水口２０から浴槽パン２１を経由して一般排水設備２２に排水されるようにしているが、これに限らず、上記外部配管３０又はこの外部配管３０に添わせた排水用配管を通して浴槽パン２１に対し直接に排水させて浴槽２を経由しないようにしてもよい。あるいは、浴槽パン２１をも経由しないで、適所の一般排水設備に対し直接に排水させるようにしてもよい。
【図面の簡単な説明】
【００７５】
【図１】本発明の第１実施形態を示す模式図である。
【図２】本発明の実施形態が適用される具体的なコンデンシング給湯装置の模式図である。
【図３】第１実施形態の貯留のための切換制御を示す前半部のフローチャートである。
【図４】第１実施形態の貯留のための切換制御を示す後半部のフローチャートである。
【図５】図５(ａ)は最初の貯留期間における貯留状況を示す図１の部分図であり、図５(ｂ)はその次の貯留期間における貯留状況を示す図１の部分図である。
【図６】図６（ａ）は図５(ｂ)の次の貯留期間における貯留状況を示す図１の部分図であり、図６（ｂ）はその次の貯留期間における貯留状況を示す図１の部分図である。
【図７】第２実施形態を示す図１対応図である。
【符号の説明】
【００７６】
１            二次熱交換器（潜熱回収用熱交換器）
１ａ，１ｂ    二次熱交換部(潜熱回収用熱交換器）
４，４ａ      ドレン水タンク（第１タンク）
５，５ａ      アルカリ処理水タンク（第２タンク）
６            切換弁（流路切換手段）
７            排水弁（排水手段）
８            混合撹拌手段
２６          コントローラ（制御手段）
４１〜４４，５１〜５４    水位電極（水位検出手段）
４５          水位連動機構
５０，５０ａ  アルカリ処理槽
５７          導水路
５８          連通路
【図１】
0005201528.tif 000002
【図２】
0005201528.tif 000003
【図３】
0005201528.tif 000004
【図４】
0005201528.tif 000005
【図５】
0005201528.tif 000006
【図６】
0005201528.tif 000007
【図７】
0005201528.tif 000008